(57)【要約】【課題】  清掃中に手元操作管と延長管と吸口体を置いたり持ち上げたりする際に、腰やひざにかかる負担を軽減できる電気掃除機を提供する。【解決手段】  掃除機本体１００と、吸口体５００と、伸縮可能な延長管４００と、手元操作管３００と、吸引ホース２００と、手持ちハンドル６００とを備えた電気掃除機１において、手持ちハンドル６００は、その上面が掃除機本体１００の上面よりも高い位置となるように配置される。【選択図】  図１
2013208159.tif 000002
【特許請求の範囲】
【請求項１】
電動送風機と集塵部を有する掃除機本体と、塵埃を吸い込むための吸口体と、一端が前記吸口体と接続される伸縮可能な延長管と、一端が前記延長管の他端と接続される手元操作管と、一端が前記手元操作管の他端に接続され、他端が前記掃除機本体に接続される吸引ホースと、前記掃除機本体と前記吸引ホースの他端との間に配置された手持ちハンドルとを備えた電気掃除機において、
前記手持ちハンドルは、その上面が前記掃除機本体の上面よりも高い位置となるように配置されている
ことを特徴とする電気掃除機。
【請求項２】
電動送風機と集塵部を有する掃除機本体と、塵埃を吸い込むための吸口体と、一端が前記吸口体と接続される伸縮可能な延長管と、一端が前記延長管の他端と接続される手元操作管と、一端が前記手元操作管の他端に接続され、他端が前記掃除機本体に接続される吸引ホースと、前記掃除機本体と前記吸引ホースの他端との間に配置された手持ちハンドルとを備えた電気掃除機において、
前記手持ちハンドルは、その上面が、前記延長管を最大に伸ばして前記吸口体を接地させた状態で、前記吸口体の根元と前記手元操作管の最後部とを結ぶ接線が前記掃除機本体の上面と当たらない位置にある
ことを特徴とする電気掃除機。
【請求項３】
請求項１または２に記載の電気掃除機において、
前記手元ハンドルは、その上面が床面側に向けて湾曲したマイナスＲ面で形成されている
ことを特徴とする電気掃除機。
【請求項４】
請求項１から３の何れかに記載の電気掃除機において、
前記手持ちハンドルは、ハンドル本体と、前記ハンドル本体の上方に形成された手掛け部と、前記手掛け部の上方に形成された握り部と、前記ハンドル本体に対して回転可能に設けられたサブハンドルを備え、
前記サブハンドルは、前記握り部に配置された回転軸により回転可能に支持されている
ことを特徴とする電気掃除機。
【請求項５】
請求項４に記載の電気掃除機において、
前記サブハンドルは、片側が開放された略コ字状の外観形状を備えるとともに、前記ハンドル本体から引き出された状態で、当該サブハンドルの底面が前記掃除機本体の上面よりも高い位置にある
ことを特徴とする電気掃除機。
【請求項６】
請求項５に記載の電気掃除機において、
前記サブハンドルは、その内側に片側が開放された略コ字状の収納空間を備え、
前記収納空間は、少なくとも前記延長管を収納できる大きさを備えている
ことを特徴とする電気掃除機、
【請求項７】
請求項５または６に記載の電気掃除機において、
前記サブハンドルは、開放された片側部分の幅が、前記収納空間の中央部分の幅よりも狭く、前記延長管の短手方向の幅よりも広く形成されている
ことを特徴とする電気掃除機。
【請求項８】
請求項４から７の何れかに記載の電気掃除機において、
前記サブハンドルは、その上面が床面側に向けて湾曲したマイナスＲ面で形成されている
ことを特徴とする電気掃除機。
【発明の詳細な説明】
【技術分野】
【０００１】
本発明は、電気掃除機に関するものであり、特に、清掃時における手元操作部や延長管、吸口体の一時置きおよび持ち上げを容易に行うことができ、かつ収納時における立位状態での保持性を良好にした電気掃除機に関するものである。
【背景技術】
【０００２】
現在、一般的に普及している電気掃除機は、塵埃を集塵室に吸い込むための送風機を備えた電気掃除機本体と、この電気掃除機本体に一端が取り付けられる吸引ホースと、この吸引ホースの他端が取り付けられる手元操作管と、この手元操作管に一端が取り付けられる延長管と、この延長管の他端に取り付けられる吸口体とを備えている。
【０００３】
この従来の電気掃除機においては、手元操作管が、吸引ホースと延長管とを連通させる連結管と、連結管の外周面上に設けられた把手部とから構成されており、使用者が把手部を握り、延長管を介して吸口体を操作することで、清掃作業を行うようになっている。
【０００４】
清掃作業中に、例えば、テーブルやいすなどの障害物がある場合、この障害物を移動させるために、手元操作管と延長管と吸口体を清掃面（床面）に一時的に置いたり、あるいは壁面に立てかけたりする必要がある。
【０００５】
特に、手元操作管と延長管と吸口体を床面に置く場合は、腰をかがめた状態やしゃがんだ状態で行うことになり、また、障害物の移動後に再び手元操作管と延長管と吸口体を持ち上げる際にも、腰をかがめたり、しゃがんだりして把手部を持たなければなければならない。
【０００６】
このため、腰をかがめた状態やしゃがんだ状態で手元操作管と延長管と吸口体を置いたり持ち上げたりする回数が多くなると、腰やひざにかかる負担が大きくなる可能性がある。
【０００７】
また、手元操作管と延長管と吸口体を壁面等に立てかけた場合は、手元操作管と延長管と吸口体が何らかの拍子で倒れた際に、清掃面（床面）を傷つける可能性がある。
【０００８】
このような課題を解決するための電気掃除機として、例えば、特許文献１や特許文献２で示される電気掃除機が知られている。
【０００９】
特許文献１に示される電気掃除機は、吸口体に設けられた係止部材と、掃除機本体の後面に設けられた本体係止部とを係合させることにより、掃除機本体が横置き状態のままホース、延長管、吸口体を立位状態で保持する構成となっている。
【００１０】
また、特許文献２に示される電気掃除機は、掃除機本体とホースとの間に手持ちハンドルを設け、この手持ちハンドルに係止部を形成し、この係止部に伸縮継ぎ手管（以下、延長管）に設けられたホーススタンドを差し込むことにより、吸口体を立位状態で保持する構成となっている。
【先行技術文献】
【特許文献】
【００１１】
【特許文献１】特開２０１１−２５５０５６号公報
【特許文献２】特開２０１０−１１０４８３号公報
【発明の概要】
【発明が解決しようとする課題】
【００１２】
上記特許文献１および特許文献２においては、吸口体あるいは延長管に設けられた係止部材を、掃除機本体の後面あるいは手持ちハンドルに形成された係止部にピンポイントで係合させる構造となっており、係止部材と係止部との位置合わせがうまくいかず、立位状態で保持することに手間がかかる場合がある。
【００１３】
このため、清掃中に手元操作管や延長管、吸口体を一時的に置く際に、手元操作管と延長管と吸口体を床面に置いたり、壁面に立てかけたりすることが多くなり、上記特許文献１および特許文献２で示すような延長管の保持手段がうまく活用されていない。
【００１４】
本発明は、上述した課題を解決するものであり、清掃中に手元操作管と延長管と吸口体を置いたり持ち上げたりする際に、腰やひざにかかる負担を軽減するとともに、手元操作管と延長管と吸口体を安定した立位状態で係止できる電気掃除機を提供するものである。
【課題を解決するための手段】
【００１５】
前記目的を達成するために、本発明に係る電気掃除機は、電動送風機と集塵部を有する掃除機本体と、塵埃を吸い込むための吸口体と、一端が前記吸口体と接続される伸縮可能な延長管と、一端が前記延長管の他端と接続される手元操作管と、一端が前記手元操作管の他端に接続され、他端が前記掃除機本体に接続される吸引ホースと、前記掃除機本体と前記吸引ホースの他端との間に配置された手持ちハンドルとを備えた電気掃除機において、前記手持ちハンドルは、その上面が前記掃除機本体の上面よりも高い位置となるように配置される。
【００１６】
また、前記目的を達成するために、本発明に係る電気掃除機は、電動送風機と集塵部を有する掃除機本体と、塵埃を吸い込むための吸口体と、一端が前記吸口体と接続される伸縮可能な延長管と、一端が前記延長管の他端と接続される手元操作管と、一端が前記手元操作管の他端に接続され、他端が前記掃除機本体に接続される吸引ホースと、前記掃除機本体と前記吸引ホースの他端との間に配置された手持ちハンドルとを備えた電気掃除機において、前記手持ちハンドルは、その上面が、前記延長管を最大に伸ばして前記吸口体を接地させた状態で、前記吸口体の根元と前記手元操作管の最後部とを結ぶ接線が前記掃除機本体の上面と当たらない位置となるように構成する。
【００１７】
さらに、前記目的を達成するために、本発明に係る電気掃除機は、掃除機本体と、吸口体と、伸縮可能な延長管と、手元操作管と、吸引ホースと、手持ちハンドルとを備えた電気掃除機において、前記手持ちハンドルは、ハンドル本体と、前記ハンドル本体の上方に形成された手掛け部と、前記手掛け部の上方に形成された握り部と、前記ハンドル本体に対して回転可能に設けられたサブハンドルを備え、前記サブハンドルは、前記握り部に配置された回転軸により回転可能に支持されている。
【発明の効果】
【００１８】
本発明によれば、清掃中に手元操作管と延長管と吸口体を置いたり持ち上げたりする際に生じる腰や膝への負担を軽減することができるとともに、手元操作管と延長管と吸口体を安定した立位状態で係止することができる。
【図面の簡単な説明】
【００１９】
【図１】第１の実施形態に係る電気掃除機の外観斜視図である。
【図２】電気掃除機の使用状態を示す図である。
【図３】手持ちハンドル部の外観図である。
【図４】サブハンドルを引き出した状態の電気掃除機を示す図である。
【図５】サブハンドルを使用した延長管の収納状態を示す図である。
【図６】第２の実施形態に係る手持ちハンドルの外観図である。
【図７】第３の実施形態に係る手持ちハンドルの外観図である。
【発明を実施するための形態】
【００２０】
以下、本発明の実施の形態を図１から図７を参照して説明する。図１から図５が第１の実施形態を説明する図、図６が第２の実施形態を説明する図、図７が第３の実施形態を説明する図である。なお、同一の部材または部位は同一符号を以って示し、重複した説明は省略する。
【００２１】
（第１の実施形態）
図１から図５を参照して、本発明の第１の実施形態に係る電気掃除機について説明する。まず、図１および図２を参照して、第１の実施形態に係る電気掃除機の概略構成について説明する。図１は、第１の実施形態に係る電気掃除機の概略構成を示す図である。図２は、電気掃除機の使用状態を示す図であり、図２（ａ）が従来の電気掃除機の使用状態図、図２（ｂ）が手元操作管と手持ちハンドルの位置関係を示す図、図２（ｃ）が本実施形態に係る電気掃除機の使用状態図である。
【００２２】
図１において、符号１で総括的に示すのは電気掃除機であり、塵埃を吸い込むための図示しない送風機を備えた電気掃除機本体１００と、一端が電気掃除機本体１００に取付けられて前記送風機に連通する柔軟性のある吸引ホース２００と、吸引ホース２００の他端に取付けられて前記送風機に連通する手元操作管３００と、一端が手元操作管３００に取付けられて吸引ホース２００に連通する延長管４００と、一端が延長管４００に取付けられて該延長管４００に連通する吸口体５００とから構成される。また、電気掃除機１は、延長管４００の中心軸Ｐ１に沿って手元操作管３００をひねることで、吸口体５００の向きを変えて掃除を行えるようになっている。
【００２３】
電気掃除機本体１００は、内部に集塵室を備え、一対の大車輪１０１と１個の自在車輪（図示省略）により、吸引ホース２００を介して移動させることができる。また、電気掃除機本体１００は、吸引ホース２００の一端が取り付けられるホース取付部１１０とを備えている。この電気掃除機本体１００の運転制御は、手元操作管３００から発信される操作信号を、電気掃除機本体１００の上面に設けられた赤外線受光部（図示省略）で受信することにより制御されたり、あるいは吸引ホース２００に信号線を配線して、この信号線を介して手元操作管３００から電気掃除機本体１００に操作信号を伝達することができる。また、電気掃除機本体１００の集塵室には、例えば、使い捨ての集塵袋や樹脂製の集塵ケースが配置されるようになっている。
【００２４】
吸引ホース２００は、塵埃を電気掃除機本体１００に搬送するための搬送通路としての機能と、電気掃除機本体１００を移動させるための移動引っ張り手段としての機能をもっている。吸引ホース２００の一端には、手元操作管３００に接続される手元操作管接続部２１１が設けられ、吸引ホース２００の他端には、電気掃除機本体１００に着脱される本体接続部２１２が設けられている。また、本体接続部２１２には、電気掃除機本体１００を持ち上げるための手持ちハンドル６００が取り付けられている。
【００２５】
手元操作管３００は、吸引ホース２００と延長管４００を連通させる機能と、電気掃除機本体１００の運転制御機能及び移動機能と、吸口体５００の動きを制御する機能を備えている。この手元操作管３００は、延長管４００と吸引ホース２００を連結する連結管部３０１と、連結管部３０１の上方に設けられた把手部３０２と、電気掃除機本体１００および吸口体５００の運転制御を行う操作スイッチ部３０３と、延長管４００の長さを調整するトリガースイッチ３０４とを備えている。以下、この実施形態では、手元ハンドル部３００の延長管４００が連結される側を「前方（矢印Ｖ１方向）」、吸引ホース２００が接続される側を「後方（矢印Ｖ２方向）」と定義して説明する。
【００２６】
延長管４００は、一端が連結管部３０１と接続される第１延長管４０１と、一端が吸口体５００と接続される第２延長管４０２と、第１延長管４０１の他端と第２延長管４０２の他端とを連結するロック機構４０３とから構成されている。また、延長管４００は、ロック機構４０３を解除することにより、第１延長管４０１と第２延長管４０２が相互に移動し、伸縮可能な構造となっている。なお、この実施の形態では、第１延長管４００に第２延長管４０２が収納される構成となっている。さらに、延長管４００は、高さ方向Ｈ１よりも幅方向Ｗ１が短く形成された外観形状（図５参照）を備えている。
【００２７】
吸口体５００は、塵埃を吸い込むための吸引口を底面に備えた吸口本体５０１と、吸口本体５０１と延長管４００を連結し、延長管４００を介して手元ハンドル部３００の動作を吸口本体５０１に伝達する自在連結部５０２とで構成されている。また、吸口本体５０１は、回転ブラシ（図示省略）と、この回転ブラシを回転させる駆動機構（図示省略）とを内部に備えることができる。
【００２８】
自在連結部５０２は、延長管４００を上下に移動させる第１の腕部５０２ａと、延長管４００を左右に移動させる第２の腕部５０２ｂとで構成され、手元ハンドル部３００の動きに対して、常に吸口本体５００の底面を清掃面（床面）に接するように動作させる。また、自在連結部５０２は、吸口本体５０１から吸い込んだ塵埃を含む空気流が延長管４００に導かれるように連通している。
【００２９】
手持ちハンドル６００は、電気掃除機本体１００を持ち上げる際に手を掛ける手掛け部６１０と、手持ちハンドル６００を電気掃除機本体１００に取り付ける取付部６２０とを備えている。そして、電気掃除機本体１００を持ち上げる際には、手掛け部６１０に手を掛け、手掛け部６１０の上方に形成された握り部６３０を握ることで、電気掃除機本体１００を持ち上げるようになっている。
【００３０】
この実施形態に係る電気掃除機１の大きな特徴の１つは、手持ちハンドル６００の上面が、電気掃除機本体１００の上面よりも高い位置となるように、手持ちハンドル６００を電気掃除機本体１００に取り付け、手持ちハンドル６００の上面を、延長管を一時置きする際のスタンドとして使用できることにある。
【００３１】
図２において、図２（ａ）で示す従来の電気掃除機に設けられている手持ちハンドル６８０（以下、従来の手持ちハンドルという）は、電気掃除機本体１００の持ちやすさを意識した構成となっており、電気掃除機本体１００を持ち上げる際に握る握り部６３０（図１参照）の位置が、電気掃除機本体１００の上面よりも下方となっている。このため、従来の手持ちハンドル６８０の上面６８１に延長管４００を一時的に置こうとすると、手元操作管３００が電気掃除機本体１００の上面に当たってしまう。
【００３２】
したがって、従来の手持ちハンドル６８０では、その上面６８１を、延長管４００を一時的に置くためのスタンドとして使用することは想定しておらず、清掃作業中に延長管４００を一時置きする際には、フックを介して延長管４００を電気掃除機本体１００に取り付けるようにしている。
【００３３】
しかしながら、延長管４００をフックに引っ掛けにくい場合もあり、このような場合、延長管４００を一時置きするために、作業者は、延長管４００を壁面へ立てかけるようにして置いたり、あるいは図２（ａ）で示すように、腰をかがめたり、しゃがんだ状態で延長管４００を床面に置かなければならない。特に、延長管４００を床面に置く際は、延長管４００を持ち上げる際も腰をかがめたり、しゃがんだりしなければならない。
【００３４】
これに対し、図２（ｂ）で示す本実施形態の電気掃除機では、手持ちハンドル６００の上面が、吸口体５００が接地した状態で延長管４００を最大に伸ばし、吸口体５００の根元と連結管部３０１の最後部とを結ぶ接線が、電気掃除機本体１００の上面と当たらない高さ以上の位置となるように、手持ちハンドル６００を構成している。この構成について、図２（ｂ）を参照して説明する。
【００３５】
図２（ｂ）において、吸口体５００が接地した状態で延長管４００を最大に伸ばし、手元操作管３００（連結管部３０１）を手持ちハンドル６００の上面に置く場合、手持ちハンドルの６００の高さが低いほど、吸口体５００の後面と連結管部３０１の最後部との距離Ｌが長くなり、延長管４００と床面がなす角度αが小さくなる。
【００３６】
角度αが小さくなると、手元操作管３００を置いた際の把手部３０２の位置が低くなり、上面６８１の高さが電気掃除機本体１００の高さよりも低い位置にある従来の手持ちハンドル６８０に延長管４００を置こうとすると、手元操作管３００が電気掃除機本体１００の上面と当たってしまう。このため、従来の手元ハンドル６８０の上面では、延長管４００を保持することができない。
【００３７】
一方、手元操作管３００が電気掃除機本体１００の上面と当たらないようにするためには、距離Ｌを短くして、角度αを大きくすることが考えられる。この場合、延長管４００が立位に近い状態となり、電気掃除機本体１００の高さよりも低い位置にある従来の手持ちハンドル６８０の上面６８１に延長管４００を置くことは困難となる。このため、清掃中に延長管４００を一時的に置くような場合は、上述したように、フックを介して延長管４００を一時的に保持したり、延長管４００を床面に置くことになる。しかしながら、フックの位置合わせが難しかったり、腰をかがめた状態、あるいはしゃがんだ状態で延長管４００を床面に置くことになるため、清掃中に延長管４００を一時的に置く際の負担軽減には十分ではない。
【００３８】
これに対し、本実施形態に係る電気掃除機は、図２（ｂ）で示すように、延長管４００を最大に伸ばした状態で、吸口体５００の根元と連結管部３０１の最後部とを結んだ接線Ｌ２が、手元操作管３００（連結管部３０１）を手元ハンドル６００の上面に置いた際に、電気掃除機本体１００の上面と当たらない高さ以上に手持ちハンドル６００の上面が位置するように構成する。
【００３９】
このような構成とすることで、延長管４００を最大に伸ばした状態でも、手元操作管３００が電気掃除機本体１００の上面に当たらないので、図２（ｃ）で示すように、作業者は腰を大きくかがめることなく、清掃作業中に延長管４００を手持ちハンドル６００の上面へ一時的に置いたり、一時的に置いたハンドルを再び持ち上げることができる。
【００４０】
次に、図３から図５を参照して、第１の実施形態に係る手持ちハンドルについて説明する。図３は、第１の実施形態に係る手持ちハンドルの外観図であり、図３（ａ）が正面図、図３（ｂ）がサブハンドルを展開した状態を示す正面図である。図４は、サブハンドルを引き出した状態の電気掃除機を示す図であり、図４（ａ）が外観斜視図、図４（ｂ）がサブハンドルに延長管を置いた状態を示す図である。図５は、サブハンドルを使用した延長管の収納状態を示す図であり、図５（ａ）が延長管を収納した状態を示すサブハンドルの正面図、図５（ｂ）が延長管を収納した状態の電気掃除機の側面図である。
【００４１】
図３において、手持ちハンドル６００は、ハンドル本体６０１と、ハンドル本体６０１に設けられた手掛け部６１０と取付部６２０と、手掛け部６１０の上方に設けられた握り部６３０と、ハンドル本体６０１に対して出し入れ可能に設けられたサブハンドル６４０を備えている。また、手掛け部６１０はハンドル本体６０１の正面上方に設けられ、取付部６２０はハンドル本体６０１の正面下方に設けられている。
【００４２】
ハンドル本体６０１は、その上面６０２が床面側に向けて湾曲したマイナスＲ面で形成されている。このように、ハンドル本体６０１の上面６０２をマイナスＲ面とすることで、図２（ｃ）で示すように、ハンドル本体６０１の上面に延長管４００を置いた際に、延長管４００がハンドル本体６０１の上面６０２（マイナスＲ面）で保持されるので、延長管４００に何らかの衝撃が加わっても、延長管４００が滑り落ちるのを軽減することができる。
【００４３】
サブハンドル６４０は、握り部６３０の中央に設けられた回転軸６５０により回転可能に支持されており、図３（ｂ）で示すように、回転軸６５０を介して矢印Ｖ３方向に回転可能に設けられている。なお、本実施形態では、回転軸６５０を握り部６３０の中央に設けているが、これに限定されるものではなく、サブハンドル６４０の回転動作の妨げにならない位置に設けるようにすればよい。
【００４４】
また、サブハンドル６４０は、片側が開放された略コ字状の外観形状を備えるとともに、ハンドル本体６０１から引き出された状態において、サブハンドル６４０の内側の底面６４１がハンドル本体６０１の上面６０２と同じ高さとなるように構成されている。さらに、サブハンドル６４０は、その内側に片側が開放した収納空間６６０を有しており、この収納空間６６０は、延長管４００と吸引ホース２００を収納できる大きさを備えている。
【００４５】
また、サブハンドル６４０は、その上面６０２ａがマイナスＲ面で構成されている。この実施形態では、サブハンドル６４０の上面６０２ａを構成するマイナスＲ面が、ハンドル本体６０１の上面６０２を構成するマイナスＲ面と同一の曲率で形成されている。
【００４６】
次に、図４および図５を参照して、ハンドル本体からサブハンドルを引き出した時の使用状態について説明する。
【００４７】
図４において、ハンドル本体６０１に収納されたサブハンドル６４０を、回転軸６５０（図３参照）を介して回転させ、ハンドル本体６０１からサブハンドル６４０を引き出した状態とすることで、図４（ａ）で示すように、サブハンドル６４０を引き出す前と比べ、手持ちハンドル６００の上面、即ち、サブハンドル６４０の上面６０２ａがより高い位置に配置される。このため、図４（ｂ）で示すように、サブハンドル６４０の上面６０２ａに延長管４００を一時的に置く際、手元操作管３００の位置が高くなるので、腰をかがめることなく、延長管４００を置いたり、持ち上げたりすることができる。
【００４８】
また、サブハンドル６４０の上面６０２ａを、ハンドル本体６０１の上面６０２と同様、マイナスＲ面としているので、図４（ｂ）で示すように、サブハンドル６４０の上面６０２ａに延長管４００を置いた際に、延長管４００が滑り落ちるのを軽減することができる。
【００４９】
図５において、サブハンドル６４０は、開放された片側部分の幅Ｗ２が、収納空間６６０の中央部分の幅Ｗ３よりも狭く、延長管４００の短手方向の幅よりも広く形成された構成となっている。
【００５０】
このような構成とすることで、サブハンドル６４０をハンドル本体６０１から引き出した状態では、図５（ａ）で示すように、開放された片側から収納空間６６０に延長管４００を挿入し、延長管４００を９０°回転させることで、図５（ｂ）で示すように、電気掃除機１の収納時（不使用時）に、延長管４００を収納空間６６０に立位状態で保持することができる。
【００５１】
また、サブハンドル６４０をハンドル本体６０１から引き出した状態で、サブハンドル６４０の内側の底面６４１（図３参照）が、ハンドル本体６０１の上面６０２と同じ高さ、即ち、電気掃除機本体１００の上面よりも高い位置となるように構成することで、収納空間６６０のスペースを確保することができるので、延長管４００を収納しやすくすることができる。
【００５２】
なお、図５においては、収納空間６６０に延長管４００を収納した状態を示しているが、延長管４００と共に、吸引ホース２００も収納するようにしてもよい。延長管４００と吸引ホース２００を収納空間６６０へ収納することにより、電気掃除機をコンパクトに収納することができ、収納操作を楽に行うことができる。
【００５３】
（第２の実施形態）
次に、図６を参照して、本発明に係る電気掃除機の第２の実施形態について説明する。図６は、本発明の第２の実施形態に係る手持ちハンドルの外観図であり、図６（ａ）が正面図、図６（ｂ）がサブハンドルを引き出した状態の正面図、図６（ｃ）が収納空間に延長管を収納した状態を示す図である。
【００５４】
この第２の実施形態に係る電気掃除機は、手持ちハンドルの構成のみが上述した第１の実施形態と相違しており、他の部分の構成および動作については、上述した第１の実施形態と同一の構成を備えている。以下、本発明の第２の実施形態に係る手持ちハンドルの構成について説明し、その他の部分については、詳細な説明は省略する。
【００５５】
図６において、この実施形態に係る手持ちハンドル７００は、ハンドル本体７１０の上面中央に形成された第１凹部７１０ａと、ハンドル本体７１０に対して出し入れ可能に設けられたサブハンドル７２０と、サブハンドル７２０の裏面に形成された第２凹部７２０ａとを備えた構成に特徴を有している。
【００５６】
このような構成とすることにより、収納空間６６０の開放端側から挿入された延長管４００が、収納空間６６０の上下に形成された２つの凹部（第１凹部７１０ａと第２凹部７２０ａ）により固定されるので、電気掃除機の収納時における延長管４００の保持性を良好にすることができる。
【００５７】
なお、この実施形態では、第１凹部７１０ａと第２凹部７２０ａにより延長管４００を支持しているが、延長管４００に換えて吸引ホース２００を保持するようにしてもよい。
【００５８】
（第３の実施形態）
次に、図７を参照して、本発明に係る電気掃除機の第３の実施形態について説明する。図７は、本発明の第３の実施形態に係る手持ちハンドルの外観図であり、図７（ａ）が正面図、図７（ｂ）がサブハンドルを引き出した状態の正面図、図７（ｃ）が収納空間に延長管を収納した状態を示す図である。
【００５９】
この第３の実施形態に係る電気掃除機は、手持ちハンドルの構成のみが上述した第１の実施形態と相違しており、他の部分の構成および動作については、上述した第１の実施形態と同一の構成を備えている。以下、本発明の第３の実施形態に係る手持ちハンドルの構成について説明し、その他の部分については、詳細な説明は省略する。
【００６０】
図７において、この実施形態に係る手持ちハンドル８００は、ハンドル本体８１０に対して出し入れ可能に設けられたサブハンドル８２０とを備え、サブハンドル８２０の上部８３０の形状が、収納空間６６０の開放された側から閉塞された側に向けて徐々に太くなる形態、即ち、収納６６０空間が徐々に小さくなるように構成したことに特徴を有している。
【００６１】
このような構成とすることにより、収納空間６６０の広い開放端側から挿入された延長管４００を、狭い閉塞端側に向けて移動させることで、収納空間６６０の上下に挟まれた状態で延長管４００が固定されるので、電気掃除機の収納時における延長管４００の保持性を良好にすることができる。
【００６２】
なお、この実施形態では、収納空間６６０で延長管４００を保持しているが、延長管４００に換えて吸引ホース２００を保持するようにしてもよい。
【符号の説明】
【００６３】
１…電気掃除機、１００…電気掃除機本体、１０１…一対の大車輪、１１０…ホース取付部、２００…吸引ホース、２１０…ホース部、２１１…手元操作管接続部、２１２…本体接続部、３００…手元操作管、３０１…連結管部、３０２…把手部、３０３…操作スイッチ部、３０４…トリガースイッチ、４００…延長管、４０１…第１延長管、４０２…第２延長管、４０３…ロック機構、５００…吸口体、５０１…吸口本体、５０２…自在連結部、５０２ａ…第１の腕部、５０２ｂ…第２の腕部、６００…手持ちハンドル、６０１…ハンドル本体、６０２…上面、６０２ａ…上面、６１０…手掛け部、６２０…取付部、６３０…握り部、６４０…サブハンドル、６４１…底面、６５０…回転軸、６６０…収納空間、６８０…従来の手持ちハンドル、６８１…上面、７００…手持ちハンドル、７１０…ハンドル本体、７１０ａ…第１凹部、７２０…サブハンドル、７２０ａ…第２凹部、７３０…握り部、８００…手持ちハンドル、８１０…ハンドル本体、８２０…サブハンドル、８３０…握り部、Ｐ１…延長管４００の中心軸。
【図１】
2013208159.tif 000003
【図２】
2013208159.tif 000004
【図３】
2013208159.tif 000005
【図４】
2013208159.tif 000006
【図５】
2013208159.tif 000007
【図６】
2013208159.tif 000008
【図７】
2013208159.tif 000009